【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるカバレッジ拡張の方法であって、
異なるサブフレームにわたる繰返しまたはパワーブースティングのうちの少なくとも１つを含むカバレッジ拡張技法のセットから第１のチャネルのために第１のカバレッジ拡張技法を選択することと、
カバレッジ拡張技法の前記セットから第２のチャネルのために、前記第１のカバレッジ拡張技法とは異なる第２のカバレッジ拡張技法を選択することと、ここにおいて、前記第２のチャネルは、前記第１のチャネルとは異なる、
前記第１のカバレッジ拡張技法を使用して前記第１のチャネルでユーザ機器（ＵＥ）にデータの第１の部分を送信することと、
前記第２のカバレッジ拡張技法を使用して前記第２のチャネルで前記ＵＥにデータの第２の部分を送信することと
を備える、方法。
【請求項２】
カバレッジ拡張技法の前記セットが、空間多重化のためのプリコーディングをさらに備える、請求項１に記載の方法。
【請求項３】
前記第１のチャネルが、ブロードキャストまたはグループキャストチャネルを備え、前記第１のカバレッジ拡張技法が、異なるサブフレームにわたる繰返しを備える、請求項１に記載の方法。
【請求項４】
前記第２のチャネルが、ユニキャストチャネルを備え、前記第２のカバレッジ拡張技法が、空間多重化のためのプリコーディングを備える、請求項１に記載の方法。
【請求項５】
前記第２のチャネルが、物理下りリンク共有チャネル（ＰＤＳＣＨ）を備える、請求項４に記載の方法。
【請求項６】
カバレッジ拡張技法の前記セットが、サブフレーム内の繰返しをさらに備える、請求項１に記載の方法。
【請求項７】
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、請求項６に記載の方法。
【請求項８】
カバレッジ拡張技法の前記セットから前記第２のチャネルのために第３のカバレッジ拡張技法を選択することと、
前記第３のカバレッジ拡張技法を使用して前記第２のチャネルでデータの第３の部分を送信することと
をさらに備える、請求項１に記載の方法。
【請求項９】
前記第１のカバレッジ拡張技法が、第１の複数のサブフレームにわたる第１の数の繰返しを備え、
前記第３のカバレッジ拡張技法が、第２の複数のサブフレームにわたる第２の数の繰返しを備え、
前記第２の数の繰返しが、厳密には前記第１の数の繰返しよりも少ない
請求項８に記載の方法。
【請求項１０】
ワイヤレス通信の方法であって、
ユーザ機器（ＵＥ）のためのカバレッジ拡張必要性を決定することと、ここにおいて、前記カバレッジ拡張必要性を決定することが、アグリゲーションレベルを識別することを備える、
前記決定されたカバレッジ拡張必要性に少なくとも部分的に基づいて制御チャネルを監視することと、ここにおいて、前記制御チャネルを監視することが、前記識別されたアグリゲーションレベルを監視することを備える、
を備える、方法。
【請求項１１】
前記アグリゲーションレベルを識別することが、以前のカバレッジ拡張に使用されたものとは異なるアグリゲーションレベルを識別することを備える、請求項１０に記載の方法。
【請求項１２】
前記制御チャネルが、物理下りリンク制御チャネル（ＰＤＣＣＨ）または拡張されたＰＤＣＣＨ（ＥＰＤＣＣＨ）のうちの少なくとも１つを備える、請求項１０に記載の方法。
【請求項１３】
前記カバレッジ拡張必要性を決定することが、前記制御チャネルに対してバンドル伝送のサイズを決定することを備える、請求項１０に記載の方法。
【請求項１４】
前記カバレッジ拡張必要性を決定することが、前記制御チャネルにカバレッジ拡張が必要とされないことを決定することを備える、請求項１０に記載の方法。
【請求項１５】
ワイヤレス通信システムにおけるカバレッジ拡張のための装置であって、
プロセッサと、
前記プロセッサと電子通信しているメモリと、
前記メモリに記憶された命令と、
を備え、前記命令は、装置に、
異なるサブフレームにわたる繰返しまたはパワーブースティングのうちの少なくとも１つを含むカバレッジ拡張技法のセットから第１のチャネルのために第１のカバレッジ拡張技法を選択することと、
カバレッジ拡張技法の前記セットから第２のチャネルのために、前記第１のカバレッジ拡張技法とは異なる第２のカバレッジ拡張技法を選択することと、ここにおいて、前記第２のチャネルは、前記第１のチャネルとは異なる、
前記第１のカバレッジ拡張技法を使用して前記第１のチャネルでユーザ機器（ＵＥ）にデータの第１の部分を送信することと、
前記第２のカバレッジ拡張技法を使用して前記第２のチャネルで前記ＵＥにデータの第２の部分を送信することと
を行わせるように前記プロセッサによって実行可能である、装置。
【請求項１６】
カバレッジ拡張技法の前記セットが、空間多重化のためのプリコーディングをさらに備える、請求項１５に記載の装置。
【請求項１７】
前記第１のチャネルが、ブロードキャストまたはグループキャストチャネルを備え、前記第１のカバレッジ拡張技法が、異なるサブフレームにわたる繰返しを備える、請求項１５に記載の装置。
【請求項１８】
前記第２のチャネルが、ユニキャストチャネルを備え、前記第２のカバレッジ拡張技法が、空間多重化のためのプリコーディングを備える、請求項１５に記載の装置。
【請求項１９】
前記第２のチャネルが、物理下りリンク共有チャネル（ＰＤＳＣＨ）を備える、請求項１８に記載の装置。
【請求項２０】
カバレッジ拡張技法の前記セットが、サブフレーム内の繰返しをさらに備える、請求項１５に記載の装置。
【請求項２１】
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、請求項２０に記載の装置。
【請求項２２】
前記命令は、
カバレッジ拡張技法の前記セットから前記第２のチャネルのために第３のカバレッジ拡張技法を選択することと、
前記第３のカバレッジ拡張技法を使用して前記第２のチャネルでデータの第３の部分を送信することと
を行うようにさらに実行可能である、請求項１５に記載の装置。
【請求項２３】
前記第１のカバレッジ拡張技法が、第１の複数のサブフレームにわたる第１の数の繰返しを備え、
前記第３のカバレッジ拡張技法が、第２の複数のサブフレームにわたる第２の数の繰返しを備え、
前記第２の数の繰返しが、厳密には前記第１の数の繰返しのよりも少ない請求項２２に記載の装置。
【請求項２４】
ワイヤレス通信のための装置であって、
プロセッサと、
前記プロセッサと電子通信しているメモリと、
前記メモリに記憶された命令と、
を備え、前記命令は、前記プロセッサによって、
ユーザ機器（ＵＥ）のためのカバレッジ拡張必要性を決定するように実行可能であり、ここにおいて、前記カバレッジ拡張必要性を決定するように実行可能な命令が、アグリゲーションレベルを識別するように実行可能な命令を備え、および
前記決定されたカバレッジ拡張必要性に少なくとも部分的に基づいて制御チャネルを監視するように実行可能であり、ここにおいて、前記制御チャネルを監視するように実行可能な命令が、前記識別されたアグリゲーションレベルを監視するように実行可能な命令を備える、
装置。
【請求項２５】
前記命令が、
以前のカバレッジ拡張に使用されたものとは異なるアグリゲーションレベルを識別すること
を行うように実行可能である、請求項２４に記載の装置。
【請求項２６】
前記制御チャネルが、物理下りリンク制御チャネル（ＰＤＣＣＨ）または拡張されたＰＤＣＣＨ（ＥＰＤＣＣＨ）のうちの少なくとも１つを備える、請求項２４に記載の装置。
【請求項２７】
前記命令が、
前記制御チャネルに対してバンドル送信のサイズを決定すること
を行うように実行可能である、請求項２４に記載の装置。
【請求項２８】
前記命令が、
前記制御チャネルにカバレッジ拡張が必要とされないことを決定すること
を行うように実行可能である、請求項２４に記載の装置。
【手続補正２】
【補正対象書類名】明細書
【補正対象項目名】０１２７
【補正方法】変更
【補正の内容】
【０１２７】
[0139]本開示の以上の説明は、いかなる当業者も本開示を作成または使用することが可能となるように提供される。本開示への様々な変更は当業者には容易に明らかであり、本明細書において定義された一般原理は、本開示の趣旨または範囲から逸脱することなく他の変形形態に適用される場合がある。この開示全体を通して、「実施形態」、「例」、または「例示的な」という用語は、例または事例を示し、記載する例を優先することを暗示または要求するものではない。したがって、本開示は、本明細書で説明した例および設計に限定されず、本明細書で開示した原理および新規の特徴に合致する最も広い範囲を与えられるべきである。
以下に、本願の出願当初の特許請求の範囲に記載された発明を付記する。
［Ｃ１］
ワイヤレス通信システムにおけるカバレッジ拡張の方法であって、
異なるサブフレームにわたる繰返しまたはパワーブースティングのうちの少なくとも１つを含むカバレッジ拡張技法のセットから第１のチャネルのために第１のカバレッジ拡張技法を選択することと、
カバレッジ拡張技法の前記セットから第２のチャネルのために、前記第１のカバレッジ拡張技法とは異なる第２のカバレッジ拡張技法を選択することと、
前記第１のカバレッジ拡張技法を使用して前記第１のチャネルでデータの第１の部分を送信することと、
前記第２のカバレッジ拡張技法を使用して前記第２のチャネルでデータの第２の部分を送信することと
を備える、方法。
［Ｃ２］
カバレッジ拡張技法の前記セットが、空間多重化のためのプリコーディングをさらに備える、Ｃ１に記載の方法。
［Ｃ３］
前記第１のチャネルが、ブロードキャストまたはグループキャストチャネルを備え、前記第１のカバレッジ拡張技法が、異なるサブフレームにわたる繰返しを備える、Ｃ１に記載の方法。
［Ｃ４］
前記第２のチャネルが、ユニキャストチャネルを備え、前記第２のカバレッジ拡張技法が、空間多重化のためのプリコーディングを備える、Ｃ１に記載の方法。
［Ｃ５］
前記第２のチャネルが、物理下りリンク共有チャネル（ＰＤＳＣＨ）を備える、Ｃ４に記載の方法。
［Ｃ６］
カバレッジ拡張技法の前記セットが、サブフレーム内の繰返しをさらに備える、Ｃ１に記載の方法。
［Ｃ７］
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、Ｃ６に記載の方法。
［Ｃ８］
カバレッジ拡張技法の前記セットから前記第２のチャネルのために第３のカバレッジ拡張技法を選択することと、
前記第３のカバレッジ拡張技法を使用して前記第２のチャネルでデータの第３の部分を送信することと
をさらに備える、Ｃ１に記載の方法。
［Ｃ９］
前記第１のカバレッジ拡張技法が、第１の複数のサブフレームにわたる第１の数の繰返しを備え、
前記第３のカバレッジ拡張技法が、第２の複数のサブフレームにわたる第２の数の繰返しを備え、
前記第２の数の繰返しが、厳密には前記第１の数の繰返しよりも少ない
Ｃ８に記載の方法。
［Ｃ１０］
ワイヤレス通信の方法であって、
ユーザ機器（ＵＥ）のためのカバレッジ拡張必要性を決定することと、
前記決定されたカバレッジ拡張必要性に少なくとも部分的に基づいて制御チャネルを監視することと
を備える、方法。
［Ｃ１１］
前記カバレッジ拡張必要性を決定することが、アグリゲーションレベルを識別することを備え、
前記制御チャネルを監視することが、前記識別されたアグリゲーションレベルを監視することを備える、
Ｃ１０に記載の方法。
［Ｃ１２］
前記アグリゲーションレベルを識別することが、以前のカバレッジ拡張に使用されたものとは異なるアグリゲーションレベルを識別することを備える、Ｃ１１に記載の方法。
［Ｃ１３］
前記制御チャネルが、物理下りリンク制御チャネル（ＰＤＣＣＨ）または拡張されたＰＤＣＣＨ（ＥＰＤＣＣＨ）のうちの少なくとも１つを備える、Ｃ１０に記載の方法。
［Ｃ１４］
前記カバレッジ拡張必要性を決定することが、制御チャネルに対してバンドル伝送のサイズを決定することを備える、Ｃ１０に記載の方法。
［Ｃ１５］
前記カバレッジ拡張必要性を決定することが、制御チャネルにカバレッジ拡張が必要とされないことを決定することを備える、Ｃ１０に記載の方法。
［Ｃ１６］
ワイヤレス通信システムにおけるカバレッジ拡張のための装置であって、
異なるサブフレームにわたる繰返しまたはパワーブースティングのうちの少なくとも１つを含むカバレッジ拡張技法のセットから第１のチャネルのために第１のカバレッジ拡張技法を選択するための手段と、
カバレッジ拡張技法の前記セットから第２のチャネルのために、前記第１のカバレッジ拡張技法とは異なる第２のカバレッジ拡張技法を選択するための手段と、
前記第１のカバレッジ拡張技法を使用して前記第１のチャネルでデータの第１の部分を送信するための手段と、
前記第２のカバレッジ拡張技法を使用して前記第２のチャネルでデータの第２の部分を送信するための手段と
を備える、装置。
［Ｃ１７］
カバレッジ拡張技法の前記セットが、空間多重化のためのプリコーディングをさらに備える、Ｃ１６に記載の装置。
［Ｃ１８］
前記第１のチャネルが、ブロードキャストまたはグループキャストチャネルを備え、前記第１のカバレッジ拡張技法が、異なるサブフレームにわたる繰返しを備える、Ｃ１６に記載の装置。
［Ｃ１９］
前記第２のチャネルが、ユニキャストチャネルを備え、前記第２のカバレッジ拡張技法が、空間多重化のためのプリコーディングを備える、Ｃ１６に記載の装置。
［Ｃ２０］
前記第２のチャネルが、物理下りリンク共有チャネル（ＰＤＳＣＨ）を備える、Ｃ１９に記載の装置。
［Ｃ２１］
カバレッジ拡張技法の前記セットが、サブフレーム内の繰返しをさらに備える、Ｃ１６に記載の装置。
［Ｃ２２］
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、Ｃ２１に記載の装置。
［Ｃ２３］
カバレッジ拡張技法の前記セットから前記第２のチャネルのために第３のカバレッジ拡張技法を選択するための手段と、
前記第３のカバレッジ拡張技法を使用して前記第２のチャネルでデータの第３の部分を送信するための手段と
をさらに備える、Ｃ１６に記載の装置。
［Ｃ２４］
前記第１のカバレッジ拡張技法が、第１の複数のサブフレームにわたる繰返しの第１の数を備え、
前記第３のカバレッジ拡張技法が、第２の複数のサブフレームにわたる第２の数の繰返しを備え、
前記第２の数の繰返しが、厳密には前記第１の数の繰返しのよりも少ない
Ｃ２３に記載の装置。
［Ｃ２５］
ワイヤレス通信のための装置であって、
ユーザ機器（ＵＥ）のためのカバレッジ拡張必要性を決定するための手段と、
前記決定されたカバレッジ拡張必要性に少なくとも部分的に基づいて制御チャネルを監視するための手段と
を備える、装置。
［Ｃ２６］
前記カバレッジ拡張必要性を決定するための前記手段が、アグリゲーションレベルを識別するための手段を備え、
前記制御チャネルを監視するための前記手段が、前記識別されたアグリゲーションレベルを監視するための手段を備える、
Ｃ２５に記載の方法。
［Ｃ２７］
前記アグリゲーションレベルを識別するための前記手段が、
以前のカバレッジ拡張に使用されたものとは異なるアグリゲーションレベルを識別するための手段
を備える、Ｃ２６に記載の方法。
［Ｃ２８］
前記制御チャネルが、物理下りリンク制御チャネル（ＰＤＣＣＨ）または拡張されたＰＤＣＣＨ（ＥＰＤＣＣＨ）のうちの少なくとも１つを備える、Ｃ２５に記載の装置。
［Ｃ２９］
前記カバレッジ拡張必要性を決定するための前記手段が、
制御チャネルに対してバンドル送信のサイズを決定するための手段
を備える、Ｃ２５に記載の装置。
［Ｃ３０］
前記カバレッジ拡張必要性を決定するための前記手段が、
制御チャネルにカバレッジ拡張が必要とされないことを決定するための手段
を備える、Ｃ２５に記載の装置。